(57)【要約】【課題】  乳幼児による誤飲の事故を生じる虞のある蝶型片のような小型の部材が不要で、シャツの襟部を確実に整形及び形状維持することができ、台紙自体の差し込み及び係止といった作業が不要で、折り畳みのための作業を簡単に且つ短時間で行うことができ、長袖タイプのシャツを折り畳む場合でもシワの生じないシャツ折り畳み形状維持台紙を提供することである。【解決手段】台紙１は、上下左右の４つの辺部を有する四角枠状の台紙本体２と、これと別体の左右方向に長手の襟整形帯材３とを備える。台紙本体２の上辺部に上方向の突き出しを連設し、上辺部の下端に挟込部４を連設し、その挟込部４の上部に裾固定部５を設け、裾固定部５の下側に肩固定部６を設ける。【選択図】  図１
2006306466.tif 000002
【特許請求の範囲】
【請求項１】
シャツを折り畳み、その状態でシャツの形状を維持するための台紙において、
上下左右の４つの辺部を有し、上辺部に上に向けた突き出しが設けられた四角枠状の台紙本体であって、シャツの襟内側に突き出しを挿入して、シャツの背中面に本体前面を当接させた状態で、シャツの身頃及び袖が左右の辺部に沿って本体背面側に折り畳まれる台紙本体と、
前記台紙本体の上辺部の下端に連設され、前記台紙本体の背面側に折り畳まれたシャツの身頃及び袖を台紙本体との間に挟み込む挟込部と、
その挟込部の上部に形成された左右方向に長手の裾固定部用穴の左端及び右端にそれぞれ連設される左右方向に長手の裾固定部であって、台紙本体の左右の辺部に沿って折り畳まれたシャツの身頃及び袖が台紙本体の下辺部に沿って挟込部の背面側に折り畳まれた状態で、さらに台紙本体側に折り畳まれたシャツの裾部に左右から差し込んで裾を固定する裾固定部と、
前記台紙本体と別体であって、シャツの襟内側に通される左右方向に長手の襟整形帯材と、
を備えたことを特徴とするシャツ折り畳み形状維持台紙。
【請求項２】
前記挟込部の裾固定部用穴の下側に肩固定部用穴が形成され、その肩固定部用穴の上端に連設されて下方向に延びる肩固定部が設けられ、その肩固定部は、その下部にＵ字状またはＶ字状の切り込みまたは切り欠きが形成され、
前記台紙本体の背面側に折り畳まれたシャツの身頃及び袖を挟込部と台紙本体との間に挟み込んだ際に、肩固定部と挟込部との接続部を折って肩固定部を挟込部の前面側に折り畳むと共に、肩固定部のＵ字状またはＶ字状の切り込みまたは切り欠きの上側を折り畳んでその折り畳み線の下側部分を上側部分よりも台紙本体の前面方向に位置させ、前記挟込部と台紙本体との間に挟み込まれたシャツの身頃または袖の肩口付近を、前記切り込みまたは切り欠きのＵ字またはＶ字の内側と外側とで挟み込んで固定することを特徴とする請求項１記載のシャツ折り畳み形状維持台紙。
【請求項３】
前記台紙本体、挟込部および裾固定部が、一枚の薄い平面体で連続的に形成されていることを特徴とする請求項１記載のシャツ折り畳み形状維持台紙。
【請求項４】
前記台紙本体、挟込部、裾固定部および肩固定部が、一枚の薄い平面体で連続的に形成されていることを特徴とする請求項２記載のシャツ折り畳み形状維持台紙。
【請求項５】
前記薄い平面体は紙であることを特徴とする請求項３または請求項４記載のャツ折り畳み形状維持台紙。
【請求項６】
前記襟整形帯材の左右端部にはそれぞれ切り込みが形成され、その切り込みをシャツの第１ボタンに差し込んで襟整形帯材をシャツに対して固定することを特徴とする請求項１〜５のいずれかの項に記載のシャツ折り畳み形状維持台紙。
【請求項７】
前記襟整形帯材にスリットが形成されるとともに、該スリットと嵌合する差込み片が前記台紙本体の突き出しに設けられたことを特徴とする請求項１〜６のいずれかの項に記載のシャツ折り畳み形状維持台紙。
【発明の詳細な説明】
【技術分野】
【０００１】
本発明は、シャツを折り畳み、その状態でシャツの形状を維持するための台紙に関する。
【背景技術】
【０００２】
従来、シャツを折り畳み、その状態でシャツの形状を維持するための台紙として、四角形状の台紙本体であって、シャツの背中面に本体前面を当接させた状態でシャツの身頃及び袖が左右の辺部に沿って本体背面側に折り畳まれる台紙本体と、その台紙本体の上端に連設され、シャツの首部の内側に折り込まれる左右方向に長手の首整形部と、台紙本体の左端及び右端にそれぞれ連設され、シャツの身頃及び袖と共に折り畳まれる左折り板及び右折り板と、左折り板の上端に連設され、台紙本体の左右の辺部に沿って折り畳まれたシャツの身頃及び袖が台紙本体の下辺部に沿って挟込部の背面側に折り畳まれた状態で、シャツの身頃の打ち合わせ部のボタンを係止するボタン止め敷板とを備えたものが知られている（例えば、特許文献１参照。）。このものでは、シャツの第１ボタンに別部材の蝶形片を係止することによって、襟部の前側部分を整形している。
【特許文献１】実用新案登録第３０３７５５４号
【発明の開示】
【発明が解決しようとする課題】
【０００３】
上記従来のシャツ折り畳み形状維持台紙では、シャツの首部の内側に首整形部を折り込んでシャツの首部を整形し、その形状を維持しているが、シャツの襟部については、第１ボタンに別部材の蝶形片を係止しているのみである。すなわち、襟部については、その前側以外の部分については整形及び形状維持が考慮されていない。そのため、シャツの梱包、運搬及び陳列等の際に、シャツの襟部の形状が歪んでしまい、見栄えが悪くなるといった問題がある。
【０００４】
また上記従来の台紙では、別部材の蝶型片は小型であるために、乳幼児による誤飲といった事故の原因となる可能性がある。
【０００５】
また上記従来の台紙では、シャツの折り畳み工程において、台紙内における台紙自体の差し込み、係止等の作業が多いので、工程全体の難易度が高くなると共に作業効率が悪くなり、折り畳みに要する時間が長くなるといった問題がある。
【０００６】
さらに、上記従来の台紙では、シャツの肩口を固定する構造を有していないため、袖が短い半袖タイプのシャツの場合には、肩口がずれても袖への影響が少なく、シャツを折り畳んでその形状を維持することができるが、袖が長い長袖タイプのシャツの場合には、肩口がずれることにより袖全体がずれてしまい、折り畳まれたシャツにシワが生じてしまうといった問題がある。
【０００７】
そこで本発明の課題は、上記の問題点に鑑み、乳幼児による誤飲の事故を生じる虞のある蝶型片のような小型の部材が不要で、シャツの襟部を確実に整形及び形状維持することができ、台紙自体の差し込み及び係止といった作業が不要で、折り畳みのための作業を簡単に且つ短時間で行うことができ、長袖タイプのシャツを折り畳む場合でもシワの生じないシャツ折り畳み形状維持台紙を提供することである。
【課題を解決するための手段】
【０００８】
上記課題を解決するために、請求項１記載の発明は、シャツを折り畳み、その状態でシャツの形状を維持するための台紙において、上下左右の４つの辺部を有し、上辺部に上に向けた突き出しが設けられた四角枠状の台紙本体であって、シャツの襟内側に突き出しを挿入して、シャツの背中面に本体前面を当接させた状態で、シャツの身頃及び袖が左右の辺部に沿って本体背面側に折り畳まれる台紙本体と、前記台紙本体の上辺部の下端に連設され、前記台紙本体の背面側に折り畳まれたシャツの身頃及び袖を台紙本体との間に挟み込む挟込部と、その挟込部の上部に形成された左右方向に長手の裾固定部用穴の左端及び右端にそれぞれ連設される左右方向に長手の裾固定部であって、台紙本体の左右の辺部に沿って折り畳まれたシャツの身頃及び袖が台紙本体の下辺部に沿って挟込部の背面側に折り畳まれた状態で、さらに台紙本体側に折り畳まれたシャツの裾部に左右から差し込んで裾を固定する裾固定部と、前記台紙本体と別体であって、シャツの襟内側に通される左右方向に長手の襟整形帯材と、を備えたことを特徴とする。
【０００９】
請求項２記載の発明は、請求項１記載の台紙であって、前記挟込部の裾固定部用穴の下側に肩固定部用穴が形成され、その肩固定部用穴の上端に連設されて下方向に延びる肩固定部が設けられ、その肩固定部は、その下部にＵ字状またはＶ字状の切り込みまたは切り欠きが形成され、前記台紙本体の背面側に折り畳まれたシャツの身頃及び袖を挟込部と台紙本体との間に挟み込んだ際に、肩固定部と挟込部との接続部を折って肩固定部を挟込部の前面側に折り畳むと共に、肩固定部のＵ字状またはＶ字状の切り込みまたは切り欠きの上側を折り畳んでその折り畳み線の下側部分を上側部分よりも台紙本体の前面方向に位置させ、前記挟込部と台紙本体との間に挟み込まれたシャツの身頃または袖の肩口付近を、前記切り込みまたは切り欠きのＵ字またはＶ字の内側と外側とで挟み込んで固定することを特徴とする。
【００１０】
請求項３記載の発明は、請求項１記載の台紙であって、前記台紙本体、挟込部および裾固定部が、一枚の薄い平面体で連続的に形成されていることを特徴とする。
【００１１】
請求項４記載の発明は、請求項３または４記載の台紙であって、前記台紙本体、挟込部、裾固定部および肩固定部が、一枚の薄い平面体で連続的に形成されていることを特徴とする。
【００１２】
請求項５記載の発明は、請求項３または４記載の台紙であって、前記薄い平面体は紙であることを特徴とする。
【００１３】
請求項６記載の発明は、請求項１〜５のいずれかの項に記載の台紙であって、前記襟整形帯材の左右端部にはそれぞれ切り込みが形成され、その切り込みをシャツの第１ボタンに差し込んで襟整形帯材をシャツに対して固定することを特徴とする。
【００１４】
請求項７記載の発明は、請求項１〜６のいずれかの項に記載の台紙であって、前記襟整形帯材にスリットが形成されるとともに、該スリットと嵌合する差込み片が前記台紙本体の突き出しに設けられたことを特徴とする。
【発明の効果】
【００１５】
請求項１記載の発明によれば、シャツの襟内側に通される襟整形帯材を備えているので、シャツの襟部を確実に整形及び形状維持することができる。また蝶型片のような小型の部材がないので、乳幼児による誤飲といった事故が生じることがない。台紙本体は、突き出しをシャツの襟内側に挿入して、シャツの背中面に本体前面を当接させるので、シャツの背中面に安定に沿わすことができ、シャツの安定な折り畳みが可能となる。また台紙は、襟整形帯材については勿論のこと、台紙本体についても、台紙本体内における台紙本体自体の差し込み及び係止といった作業がないので、折り畳み工程全体の難易度が高くならず、折り畳みに要する時間が短くて済む。
【００１６】
請求項２記載の発明によれば、挟込部と台紙本体との間に挟み込まれたシャツの身頃または袖の肩口付近を肩固定部で固定するので、袖が長い長袖タイプのシャツを折り畳む場合であっても、折り畳まれた状態の袖がずれることがなく、シャツにシワが生じることが少ない。
【００１７】
請求項３及び請求項４記載の発明によれば、台紙本体が一枚の薄い平面体で連続的に形成されているので、比較的簡単に台紙本体を形成することができる。
【００１８】
請求項５記載の発明によれば、台紙を構成する薄い平面体が紙なので、可燃ゴミとして容易に処分することができる。
【００１９】
請求項６記載の発明によれば、襟整形帯材の左右端部にそれぞれ形成された切り込みがシャツの第１ボタンに差し込まれるので、襟整形帯材がシャツの襟部に対して確実に位置決めされて固定される。
【００２０】
請求項７記載の発明によれば、襟整形帯材のスリットと台紙本体の上辺部の差込み片とを嵌合することによって、襟整形帯材と台紙本体とが結合されるので、台紙を襟整形帯材を含む一枚の台紙として取り扱うことができる。
【発明を実施するための最良の形態】
【００２１】
以下、本発明を図示の実施の形態に基づいて説明する。
【００２２】
図１を参照して、１は本発明の実施の形態に係る台紙であり、ワイシャツ等のシャツを折り畳み、その折り畳んだ状態でシャツの形状を維持するためのものである。この台紙１は、ボール紙で形成されており、上辺部２ａ、左辺部２ｂ、下辺部２ｃ、右辺部２ｄの４つの辺部で構成される四角枠状の台紙本体２と、これと別体の襟成形部３とを備えている。この台紙本体２の横幅及び縦幅は、折り畳むワイシャツ１０（図２参照）のサイズによって適宜設計変更することができる。
【００２３】
襟整形帯材３は、左右方向に長手の長方形状で、襟整形帯材３の左右の端部には、それぞれ第１ボタン固定用の切り込み３ａ、３ｂが形成されている。この襟整形帯材３の横幅は、折り畳むワイシャツ１０のサイズによって適宜設計変更することができる。
【００２４】
台紙本体２の上辺部２ａには、上方向の突き出し２ｇが突設され、上辺部２ａの下端２ａ1には、該台紙本体２の上辺部２ａの下端２ａ1、左辺部２ｂの右端２ｂ1、下辺部２ｃの上端２ｃ1、右辺部２ｄの左端２ｄ1で囲まれる長方形状の挟込部４が連設されている。
【００２５】
その挟込部４の上部には、長方形状で左右方向に長手の裾固定部用穴４ａが形成され、その裾固定部用穴４ａの左端４ａ1及び右端４ａ2には、それぞれ、中央方向に伸びる左右方向に長手の裾固定部５、５が、裾固定部用穴４ａに囲まれる形状で連設されている。
【００２６】
前記裾固定部用穴４ａの下側には、６角形状の肩固定部用穴４ｂが形成され、その肩固定部用穴４ｂの上端４ｂ1には、下方向に延びる肩固定部６が肩固定部用穴４ｂに囲まれる６角形状で連設されている。
【００２７】
その肩固定部６の下部には、Ｖ字状の切り欠き６ａが形成されている。
【００２８】
次に、本実施形態の作用について、図２〜図７を参照し、台紙１を用いて長袖タイプのワイシャツ１０を折り畳む場合を例に挙げて説明する。
【００２９】
まず、ワイシャツ１０を折り畳む作業者は、ワイシャツ１０の身頃１０ａの背中面１０ａ1を表側にして置き、ワイシャツ１０の襟１０ｂの内側に襟整形帯材３を通す（図２（ａ）、（ｂ））。次いでワイシャツ１０の身頃１０ａの背中面１０ａ1に台紙本体２を置いて、突き出し２ｇを襟１０ｂの内側に差し込む（図２（ｂ））。これにより、台紙本体２をシャツ１０の背中面１０ａ1に安定に沿わすことができ、シャツの安定な折り畳みが可能となる。
【００３０】
続いて作業者は、台紙本体２の前面をワイシャツ１０の身頃１０ａの背中面１０ａ1に当接させると共に、挟込部４と台紙本体２との接続部、すなわち台紙本体２の上辺部２ａの下端２ａ1を折り曲げて、挟込部４を台紙本体２の背面側において上側に位置させる（図３（ａ））。そして作業者は、ワイシャツ１０の身頃１０ａ及び袖１０ｃを、台紙本体２の左辺部２ｂと右辺部２ｄとに沿って本体２の背面側に折り畳む（図３（ｂ））。ここで、袖１０ｃは、台紙本体２の横幅からはみ出さないように肩口付近で適宜折り畳まれる。
【００３１】
次に作業者は、肩固定部６と挟込部４との接続部、すなわち挟込部４の肩固定部用穴４ｂの上端４ｂ1を折って肩固定部６を挟込部４の前面側に折り畳む（図４（ａ））。そして、挟込部４と台紙本体２との接続部、すなわち台紙本体２の上辺部２ａの下端２ａ1を折り返しつつ、肩固定部６の切り欠き６ａの上側を折り畳み線６ｂで折り畳み、ワイシャツ１０の袖１０ｃの肩口付近を、切り欠き６ａのＶ字の内側と外側とで挟み込む（図４（ｂ））。続いて、さらに台紙本体２の上辺部２ａの下端２ａ1を折り返して、台紙本体２の背面側に折り畳まれたワイシャツ１０の身頃１０ａ及び袖１０ｃを挟込部４と台紙本体２との間に挟み込むと共に、前記切り欠き６ａの上側を折り畳んだ折り畳み線６ｂの下側部分６ｃを上側部分６ｄよりも台紙本体２の前面方向に位置させて、ワイシャツ１０の袖１０ｃの肩口付近を固定する（図４（ｃ））。
【００３２】
続いて作業者は、台紙本体２の左右の辺部２ｂ、２ｄに沿って折り畳まれたワイシャツ１０の身頃１０ａ及び袖１０ｃを台紙本体２の下辺部２ｃに沿って挟込部４の背面側に折り畳み（図５（ａ））、さらに、ワイシャツ１０の裾部１０ｄを台紙本体２側に折り畳む（図５（ｂ））。この状態で、作業者は、裾固定部５と挟込部４との接続部、すなわち挟込部４の裾固定部用穴４ａの左端４ａ1及び右端４ａ2を曲げ起し（図５（ｃ））、その曲げ起こした裾固定部５の中ほどを中央方向に折り曲げて、台紙本体２側に折り畳まれたワイシャツ１０の裾部１０ｄに左右から差し込む（図６）。これによりワイシャツ１０の裾部１０ｄが固定される。
【００３３】
次に作業者は、折り畳まれたワイシャツ１０を引っ繰り返してワイシャツ１０の身頃１０ａの前面１０ａ1側を上に向け（図７（ａ））、前記襟整形帯材３の第１ボタン固定用の切り込み３ａ、３ｂを第１ボタンのボタンＢの取付糸部に差し込む（図７（ｂ））。これにより襟整形帯材３がワイシャツ１０に対して確実に固定される。
【００３４】
台紙１を用いたシャツの折り畳み手順は、上述した手順に限定されるものではなく、適宜変更することが出来る。例えば、前記襟整形帯材３の第１ボタン固定用の切り込み３ａ、３ｂを第１ボタンのボタンＢの取付糸部に差し込む作業を、ワイシャツ１０の襟１０ｂの内側に襟整形帯材３を通す作業の直後に行っても良い。
【００３５】
本実施形態では、襟整形帯材３は直線的な形状に形成しているが、シャツの襟内側に通すことができる形状であればよく、例えば左右が上方向に湾曲する形状であっても良い。
【００３６】
本発明の変形例を示すと、襟整形帯材３は、図８に示すように、強度を高める補強片３ｃを設けてもよい。図８において、襟整形帯材３の上端に、その中部に間隙をあけて左右方向に該襟整形帯材３と略同幅で延びる長方形の２つの片を補強片３ｃとして連設し、襟整形帯材３をワイシャツ１０の襟１０ｂの内側に挿入する際、補強片３ｃを図に点線で示すように折り重ねた状態で挿入する。襟１０ｂの内側に挿入された襟整形帯材３は、補強片３ｃが重ねられているので強度が高まる。
【００３７】
他の変形例によれば、襟整形帯材３と台紙本体２とを結合可能にすることができる。即ち、図９（ａ）に示すように、襟整形帯材３の中央部の左右の位置に、縦方向のスリット３ｄを２つ設け、台紙本体２の上辺部２ａの上端に、両側に差込み片２ｅ1を有する突き出し２ｅを連設する。差込み片２ｅ1の上下の辺２ｅ2は、その基部に入れた切込みと上下端近くに入れた折り込み線とによって内側に折り返せるようになっている。図９（ｂ）に示すように、上下の辺２ｅ2を折り返した状態で差込み片２ｅ1をスリット３ｄに挿入し、折り返した上下の辺２ｅ2を開くことにより、差込み片２ｅ1がスリット３ｄと嵌合し、襟整形帯材３と台紙本体２とを結合することができる。これにより、台紙１を襟整形帯材３を含む一枚の台紙として取り扱うことが可能となる。なお、本例の襟整形帯材３に、図８に示したような補強片３ｃを更に設けてもよい。
【００３８】
図１０に示す変形例では、襟整形帯材３の中央部に左右方向のスリット３ｅを設け、台紙本体２の上辺部２ａの上端に突き出し２ｆを連設し、突き出し２ｆの上側に差込み片２ｆ1を形成しておく。差込み片２ｆ1の左右の辺２ｆ2は、基部の切り込みと左右端近くの折りこみ線とによって内側に折り返せるようにしておく。図９の場合に準じ、左右の辺２ｆ2を折り返した状態で差込み片２ｆ1をスリット３ｅに挿入し、折り返した左右の辺２ｆ2を開くことにより、差込み片２ｆ１がスリット３ｅと嵌合し、襟整形帯材３を台紙本体２にしっかりと結合することができる。本例の襟整形帯材３には補強辺３ｃが設けられているが、勿論なくてもよい。
【００３９】
以上では、台紙１は、襟整形帯材３を含む全体をボール紙で作製しているが、本発明はこれに限定されるわけではなく、薄い平面体で形成されていればよい。例えば、生分解性フィルム等で形成しても良い。
【００４０】
また台紙本体２に挟込部４、裾固定部５および肩固定部６を連設したものを一枚のボール紙を用いて形成しているが、本発明はこれに限定されるわけではない。例えば、台紙本体２、挟込部４、裾固定部５、肩固定部６を別部材で形成しておき、それぞれを接着等で接続しても良い。
【００４１】
また台紙本体２に肩固定部６を連設しているが、半袖タイプのシャツを折り畳む場合には、台紙本体２に肩固定部６を設ける必要がない。
【００４２】
また肩固定部６にＶ字状の切り欠き６ａを形成しているが、Ｕ字状またはＶ字状の切り込みや、Ｕ字状の切り欠きであっても良い。
【００４３】
以上、本発明の実施形態を説明したが、本発明は実施形態のものに限定されるものではなく、必要に応じて種々の変更を施すことがことができる。
【図面の簡単な説明】
【００４４】
【図１】本発明の実施の形態に係るシャツ折り畳み形状維持台紙を示す平面図である。
【図２】シャツ折り畳み形状維持台紙を用いてシャツを折り畳む場合の途中工程を示す図である。
【図３】シャツ折り畳み形状維持台紙を用いてシャツを折り畳む場合の途中工程を示す図である。
【図４】シャツ折り畳み形状維持台紙を用いてシャツを折り畳む場合の途中工程を示す図である。
【図５】シャツ折り畳み形状維持台紙を用いてシャツを折り畳む場合の途中工程を示す図である。
【図６】シャツ折り畳み形状維持台紙を用いてシャツを折り畳む場合の途中工程を示す図である。
【図７】シャツ折り畳み形状維持台紙を用いてシャツを折り畳む場合の途中工程を示す図である。
【図８】本発明の台紙の変形例における襟整形帯材を示す平面図である。
【図９】本発明の台紙の他の変形例における結合可能な襟整形帯材と台紙本体の上部とを示す平面図（ａ）およびその結合法を示す平面図（ｂ）である。
【図１０】本発明の台紙のさらに他の変形例における結合可能な襟整形帯材と台紙本体の上部とを示す平面図（ａ）およびその結合法を示す平面図（ｂ）である。
【符号の説明】
【００４５】
１      台紙
２      台紙本体
２ｅ、２ｆ、２ｇ  突き出し
２ｅ1、２ｆ1  差込み片
３      襟整形帯材
３ｃ    補強片
３ｄ、３ｅ  スリット
４      挟込部
５      裾固定部
６      肩固定部
１０    ワイシャツ
１０ａ  身頃
１０ｂ  襟
【図１】
2006306466.tif 000003
【図２】
2006306466.tif 000004
【図３】
2006306466.tif 000005
【図４】
2006306466.tif 000006
【図５】
2006306466.tif 000007
【図６】
2006306466.tif 000008
【図７】
2006306466.tif 000009
【図８】
2006306466.tif 000010
【図９】
2006306466.tif 000011
【図１０】
2006306466.tif 000012